(57)【特許請求の範囲】
【請求項１】
錠箱内に、駆動源（５１）と、前記錠箱の後壁に向かって伸縮する該駆動源の作動杆（５２）と水平方向に共働する駆動片（５５）と、横軸（６７）に中央部或は中央部寄りの部位が軸支された長片状の主切替えレバー（６６）と該主切替えレバーと連係する補助切替えレバー（７０）とを有する錠前の施・解錠モード切替え手段（６５）を配設し、
前記錠箱内には、さらに、前記駆動片の少なくとも一側に併設された状態で該駆動片に形成された水平方向の逃がし穴（５８）内に位置する固定軸（６０）に軸支されていると共に、下端部がハンドルロック部材（１３）の上方の第１係合部と係合或は連係しかつ該駆動片が前記駆動力で水平方向に位置変位すると前記補助切替えレバーに設けた係合突起（７１）を介して回転する従動片（６１）を設け、
前記補助切替えレバーは、その下端部に前記従動片の従動長孔（６３）及び前記駆動片の垂直長孔（５６）の両方に係合する前記係合突起（７１）、中間部に前記駆動片の垂直長孔の垂直線上の縦溝（５７）に係合する案内突起（７２）及びその上端部に前記主切替えレバーの後端部と連係する連係部（７３）を有し、
前記錠箱に形成された切替え用開口から前記主切替えレバーの先端部を上下方向に切替えると、前記固定軸（６０）を基準として、前記補助切替えレバーの前記係合突起（７１）が上下方向に位置変位し、錠前の施・解錠モードが切替る錠前の施・解錠モード切替え装置。
【請求項２】
請求項１に於いて、ハンドルロック部材の中間部が軸支され、下方の第２係合部を介してハンドルカム部材の錠片と直接係合する腕状係合部の上端部と係脱することを特徴とする錠前の施・解錠モード切替え装置。
【請求項３】
請求項１に於いて、ハンドルロック部材は、Ｌ字形状或はブーメラン形状のいずれかに形成されていることを特徴とする錠前の施・解錠モード切替え装置。
【発明の詳細な説明】
【技術分野】
【０００１】
本願発明は、錠前の施・解錠モード切替え装置に関する。
【背景技術】
【０００２】
特許文献１は、出願人が提案したものである。特許文献１には、錠前の一例として、電気的な錠前が記載されている。すなわち、特許文献１は、「扉開閉端の縦枠１７に設けられ閉扉にて錠ケース１９から錠ボルト２５を突出させるプッシュプル電気錠１００であって、扉面１１ａに垂直な軸回りで回動自在となって前記錠ケース１９に内設される駆動カム５５と、開扉方向ａと同方向の押し引き操作力を扉面１１ａに垂直な軸回りの回転操作力として該駆動カム５５に入力する変換機構６５と、扉面１１ａに垂直な軸回りで揺動自在に支持され錠ボルト突出状態で揺動先端６３ａを前記駆動カム５５の外周に形成された凹部５５ａに半径方向外側から挿入して前記駆動カム５５を回転規制するロックピース６３と、前記駆動カム５５の回転で前記縦枠１７の長手方向にスライドされ斜め穴７３に係合させた前記錠ボルト２５を後退方向に従動させるスライドカム板３１と、前記錠ケース１９に設けられ該スライドカム板３１の上端移動位置で該スライドカム板３１に係止して該スライドカム板３１を前記上端移動位置に保持するラッチ体７９と、閉扉にて被施錠体から磁気反発力を受けて作動し該ラッチ体７９の前記スライドカム板３１に対する保持を解除するリリーサ９５と、電気信号の印加にてソレノイド１４３を励磁し前記錠ボルト２５の進退方向ｂにプランジャ１４５を直動させる電磁プランジャ１４４と、前記プランジャ１４５に連結され前記直動方向にスライドされる駆動コネクタ１４７と、扉面１１ａに垂直な軸回りで揺動自在に支持され先端係合部１５９ａが前記ロックピース６３の揺動基端６３ｂに連結されるとともに基端連結部１５９ｂが該駆動コネクタ１４７に連結される切替え５カム１５９と、を具備したことを特徴とする電気錠」が開示されている。
【０００３】
そして、該特許文献１には、本願発明の主要部に相当する「錠前の施・解錠モード切替え装置の具体的構成」が、段落００７１乃至段落００８５まで、図５及び図６（Ｔモード）、図１２（Ｔモード又はＲモードに切替えるスライド片１７７、切替えカム１５９等の切替え手段）、図１４（Ｒモード）等が図面と共に記載されている。
【０００４】
しかしながら、該特許文献１は、電気錠自体の構成が、部品点数が多くて複雑である、また錠前の施・解錠モード切替え装置の、該手動式切替え手段を、錠片をハンドルカム部材で直接後退動させる錠前に適用することができない等の問題点があった（符号は特許文献１のもの）。なお、本願発明が登場した技術的背景は、特許文献１、特許文献２等に記載されている通りである。
【先行技術文献】
【特許文献】
【０００５】
【特許文献１】特開２００９−２７０３０７号公報
【特許文献２】特開２００９−２５６９０７号公報
【発明の概要】
【発明が解決しようとする課題】
【０００６】
本願発明の所期の目的は、錠前の販売時、或は錠前を扉に装着する施工時に、錠箱に形成した開口（少なくともフロント裏板に形成した開口、又は幅広側壁に形成した開口のいずれか）を利用して錠前のモードを簡単、かつ確実に切替えることができる、部品点数が少ない次世代型の施・解錠モード切替え装置を提供することである。第２の目的は、駆動源の作動杆が錠箱の後壁に向かって伸縮する場合であっても、適用することができることである。第３の目的は、錠片をハンドルカム部材で直接後退動させる錠前に適用することができることである。その他、極力構成部品点数を少なくし、かつ機構をユニット化することである。
【課題を解決するための手段】
【０００７】
本願発明の錠前の施・解錠モード切替え装置は、錠箱内に、駆動源（５１）と、前記錠箱の後壁に向かって伸縮する該駆動源の作動杆（５２）と水平方向に共働する駆動片（５５）と、横軸（６７）に中央部或は中央部寄りの部位が軸支された長片状の主切替えレバー（６６）と該主切替えレバーと連係する補助切替えレバー（７０）とを有する錠前の施・解錠モード切替え手段（６５）を配設し、前記錠箱内には、さらに、前記駆動片の少なくとも一側に併設された状態で該駆動片に形成された水平方向の逃がし穴（５８）内に位置する固定軸（６０）に軸支されていると共に、下端部がハンドルロック部材（１３）の上方の第１係合部と係合或は連係しかつ該駆動片が前記駆動力で水平方向に位置変位すると前記補助切替えレバーに設けた係合突起（７１）を介して回転する従動片（６１）を設け、前記補助切替えレバーは、その下端部に前記従動片の従動長孔（６３）及び前記駆動片の垂直長孔（５６）の両方に係合する前記係合突起（７１）、中間部に前記駆動片の垂直長孔の垂直線上の縦溝（５７）に係合する案内突起（７２）及びその上端部に前記主切替えレバーの後端部と連係する連係部（７３）を有し、前記錠箱に形成された切替え用開口から前記主切替えレバーの先端部を上下方向に切替えると、前記固定軸（６０）を基準として、前記補助切替えレバーの前記係合突起（７１）が上下方向に位置変位し、錠前の施・解錠モードが切替ることを特徴とする。      
【発明の効果】
【０００８】
（ａ）請求項１に記載の発明は、部品点数が少ない次世代型の施・解錠モード切替え装置である。また、例えば錠前のフロント裏板部から手動で錠前のモードを簡単かつ確実に切替えることができる。特に、本願発明では、切替え手段が、その先端部が錠箱の裏板開口や幅広側壁に形成した開口から見え、かつ中央部或は中央部寄りの部位が軸支された長片状の主切替えレバーと、該主切替えレバーと連係する補助切替えレバーとから成り、該補助切替えレバーは、その下端部に従動片の従動長孔及び駆動片の垂直長孔の両方に係合する係合突起、中間部に前記駆動片の垂直長孔の垂直線上に形成された縦溝に係合する案内突起、及び上端部に連係長孔を有するので、切替え手段がユニット化されていると共に、駆動源の作動杆が錠箱の後壁に向かって伸縮する場合であっても適用することができる。
（ｂ）請求項２に記載の発明は、錠片をハンドルカム部材で直接後退動させる錠前に適用することができる。
（ｃ）その他、ハンドルロック部材が、Ｌ字形状或はブーメラン形状のいずれかに形成されている実施形態の場合には、構成部品点数が少ないと共に、機構をユニット化することができる。
【図面の簡単な説明】
【０００９】
図１乃至図１３は、本願発明の実施形態の一例を示す各説明図である。図１５及び図１６は、錠箱に形成した切替え用開口の他の実施形態を示す各説明図。
【図１】本願発明を適用する錠前の一例を示し、ロック部材がハンドルカム部材をロックしている状態の概略説明図。
【図２】通電時施錠モード（Ｒモード）の概略説明図。
【図３】駆動源と駆動片の説明図。
【図４】図３の４−４線端面図。
【図５】駆動片と従動片の説明図。
【図６】駆動片と補助切替えレバーの説明図。
【図７】主切替えレバーと補助切替えレバーの説明図。
【図８】支持枠と主切替えレバーの説明図。
【図９】フロントを外した後、支持枠の可動枠体を上方に回転させた説明図。
【図１０】図２のＲモードに於いて、電源をＯＦＦにし、解錠状態になった概略説明図。
【図１１】通電時解錠モード（Ｔモード）の概略説明図。
【図１２】図１１のＴモードモードに於いて、電源をＯＦＦにし、施錠状態になった概略説明図。
【図１３】図１の施錠状態からハンドルカム部材を矢印方向へ回転させ、制御レバーが上昇している説明図。
【図１４】図１の施錠状態からハンドルカム部材を矢印方向へ回転させ、錠片の後退動中に制御レバーが下降すると共に、錠片を後退させている説明図。
【図１５】錠箱に形成した切替え用開口の他の実施形態の幅広側面から見た要部の概略説明図。
【図１６】平面視からの要部の概略断面の説明図。
【発明を実施するための最良の形態】
【００１０】
（１）本願発明を適用する錠前
図１は、本願発明の錠前の施・解錠モード切替え装置Ｙを適用する錠前の一例を示した概略説明図である。まず、錠前Ｘの構成部材を説明する。この錠前Ｘは幾つかの機構を内装する錠箱１を有し、該錠箱１は、周知のようにフロント１ａ、裏板１ｂ、後壁１ｃ、上壁１ｄ、底壁１ｅでもって縦長箱状に形成されている。フロント１ａは裏板１ｂから取り外すことができ、該フロント１ａを裏板１ｂから取り外すと、裏板１ｂの開口部に設けた後述の回転自在な可動枠体８２及び上下方向に切替え可能な主切替えレバー６６の先端部が見える（図９参照）。
【００１１】
本実施形態の錠箱１は、扉の幅の狭い縦框ｃに取り付けられる。したがって、この錠箱１は、例えば、前記狭縦框の幅に対応して縦長状に形成されている。付言すると、特許文献１の記載の扉（例えばガラス扉）に適合する。しかし、本願発明の錠前Ｘはガラス扉に限定されるものではない。
【００１２】
次に、２は錠箱１に進退動自在に設けられた錠片（例えば、デッドラッチ、ラッチボルト、錠ボルトなど称される係合部材）で、該錠片２はその後端部２ａにハンドルカム部材３と係合する貫通状あるいは凹所状の不番の係合部を有する。ハンドルカム部材３は、その基端部３ａが錠片２よりも下方に位置する第１固定軸（実施形態によって、ノブやレバーハンドルのハンドル軸）４に軸支され、該基端部３ａの下側には、図示しない内外の操作部材（例えば、プッシュ・プルハンドル）の内端部にそれぞれ設けられた内外の突片５，６と係合する短片状第１係合部３ｂが半径外方向に延在している。また該基端部３ａの上側には、腕状第２係合部３ｃが延在し、該腕状第２係合部３ｃは前述した錠片２の後端部２ａの係合部と貫通状態に係合する。そして、腕状第２係合部３ｃの錠片２から突出する先細り状先端部３ｄには、小さなローラ７が回転自在に設けられている。
【００１３】
１１は、錠片２よりも多少上方に位置する第２固定軸１２に軸支された錠片用ストッパー片で、この錠片用ストッパー片１１の下辺に形成した下向き弧状の切欠状係合部には、前述したハンドルカム部材３の小ローラ７が係脱する。１３は、錠片用ストッパー片１１と同様に前記第２固定軸１２に軸支されたハンドルカム部材用ロック部材で、このロック部材１３は、いわば、右手の親指と人差指とを左向きに開いた格好のＬ字形状に形成され、錠片２の施錠時、前記右手の親指に相当する、或は左右方向（斜め方向も含む）を指向する下方の第２係合部１３ｂは、ハンドルカム部材３の先細り状先端部３ｄに係合して該ハンドルカム部材３の回転を阻止する。このように、本実施形態のハンドルロック部材は、Ｌ字形状或はブーメラン形状のいずれかに形成されている一つのロックピースである。
【００１４】
一方、前記人差指に相当する、或は上方向を指向する上方の第１係合部１３ａの上端部には、水平方向に突出する可動ピン１４が設けられ、該可動ピン１４は後述の動力変換部材の制御バー２３に形成した切欠状係合制御部２４に係合する。
【００１５】
ここで、説明の便宜上、図１３、図１４を参照にして、図示しない操作部材の一例としてのプッシュブルハンドルの操作部材の操作力によって、前述の錠片用ストッパー片１１がどのように作動するかについて簡単に説明する。
【００１６】
上記構成に於いて、例えば外側の操作部材を操作すると、外側の突片６がハンドルカム部材３の短片状第１係合部３ｂの側面を押圧し、また同様に、内側の操作部材を操作すると、内側の突片５がハンドルカム部材３の短片状第１係合部３ｂを押圧する。図１４では、外側の操作部材の操作力によって外側の突片６が矢印方向へと水平移動し、これによりハンドルカム部材３が第１固定軸４を支点に時計方向である矢印方向へと回転することになる。
【００１７】
したがって、ハンドルカム部材３に対するロック部材１３が存在しない限り、ハンドルカム部材３の小ローラ７が錠片用ストッパー片１１の弧状切欠状係合部を滑動して該錠片用ストッパー片１１を、第２固定軸１２を支点にして上方へと押し上げるので、錠片用ストッパー片１１の係合先端部は錠片２の上辺に段差状に形成した被係合部から矢印の上方方向へと離れ、ハンドルカム部材３は矢印の時計方向へと回転可能となり、その結果、錠片２は、ハンドルカム部材３の腕状第２係合部３ｃを介して矢印の後退方向へと後退動可能である。
【００１８】
しかしながら、図１の施錠状態では、ハンドルカム部材用ロック部材１３の下方の第２係合部１３ｂがハンドルカム部材３の先細り状先端部３ｄに係合し、該ハンドルカム部材３の回転を阻止している。そこで、錠片２を施錠状態から解錠状態にするためには、その前提条件として、ハンドルカム部材に対するロック部材のロック状態が解消する必要がある。
【００１９】
そこで、この次世代型錠前Ｘは、本願発明の主要部（図２乃至図１２）の他に、（Ａ）ハンドルカム部材３に対するロック部材１３のロック状態を解消させる手段２１、２２、２３、（Ｂ）及びハンドルカム部材３に対するロック部材１３のロック状態が解消させた場合に、一時的にロック部材１３のロック状態の解消を維持する手段３１を錠箱１内に組み込んでいる。本明細書では、該（Ａ）及び（Ｂ）の各事項は、発明の限定要件ではないが、説明の便宜上説明する。
【００２０】
さて、錠箱１の上方に付してある符号２０は、縦長錠箱１の内部空間の一番上方に横方向に配設された施錠用付勢手段で、この付勢手段２０は、ラック付勢バネ２０ａと、該ラック付勢バネ２０ａの付勢力により、ピニオン及び複数の係合部を有するダルマ２１を元の回転位置へ戻す方向へと付勢するダルマラック２０ｂとから構成されている。
【００２１】
また２２、２３は、ダルマ２２の回転力を直線運動に変換する動力変換部材で、ダルマ２１の突片状押圧部２１ａに係合すると共に、その中央部が上方固定軸２８に軸支された回転レバー２２と、該回転レバーと共働して上下方向に移動する制御レバー２３とから成る。
【００２２】
付言すると、前記回転レバー２２は、例えば右手の親指を上方に向け、一方、人差し指を左向きに向けた格好のＬ型に形成され、前記親指に相当する山形状係合受け部２２ａはダルマ２２の突片状押圧部２１ａと係合可能であり、また前記人差し指に相当する係合碗部２２ｂは、制御レバー２３の連係部２５に係合する係合ピン２２ｃを有する。
【００２３】
また前記制御レバー２３は、垂直板部２３ａと水平板部２３ｂを有し、前記垂直板部２３ａの下端部には、横方向に湾曲状に切欠された係合制御部２４が形成され、該係合制御部２４は、上述したハンドルカム部材用ロック部材１３の上方の第１係合部１３ａ（実施形態では可動ピン１４）が係合する。そして、前記制御レバー２３の垂直板部２３ａの上端部には連係部２５が連設形成され、該連係部２５は回転レバー２２の係合ピン２２ｃと係合している。であるから、回転レバー２２が上方固定軸２８を支点に時計方向に回転するならば、制御レバー２３は該回転レバー２２に共働して上昇可能である（図１３を参照）。
【００２４】
ところで、実施形態では、さらに、前記制御レバー２３の垂直板部２３ａの下端部の切欠状係合制御部２４の付近に係合突起２６を設け、該下端部に設けた或は形成した係合突起２６を、復帰バネ３６のバネ力により左右方向に往復動すると共に、矩形状開口部３２を形成する枠状フレーム部分３１ａに、前記開口部３２内へ水平方向にやや突出する支持突起３３を有する一つのロック状態解消維持片３１に係合させている。このロック状態解消維持片３１の前記枠状フレーム部分３１ａに横方向に連設する非開口部分３１ｂには、さらに、小孔状の被係合部３５が形成され、該被係合部３５には、逆向き「く」の字形状のロック解除レバー４１の上端部４１ａが係合しており、実施形態では、該ロック解除レバー４１の中央部を軸支する第３固定軸４２に復帰バネ３６の中心部が巻装されている。また、ロック解除レバー４１の下端部４１ｂは錠片用ストッパー片１１の先端部の上辺に係合しており、錠片用ストッパー片１１に連動して同方向に回転可能である。
【００２５】
上記構成に於いて、ダルマ２１が図示しないシリンダ錠又はサムターン側の操作力によりロックを解消する方向に回転した作動時、図１３で示すように、制御レバー２３が該ダルマに連動して上昇し始める。そうすると、ハンドルロック部材１３は、前記制御レバー２３の係合制御部２４の傾斜面２４ａ及びその上方の第１係合部１３ａの可動ピン１４を介して、ハンドルカム部材３のロックを解く時計方向へと回転し、その下方の第２係合部１３ｂがハンドルカム部材３の先細り状先端部３ｄから外れる。
【００２６】
一方、維持片３１は、その支持突起３３が上方に位置変位する制御レバー２３の係合突起２６に押圧されることにより、その復帰バネ３６のバネ力に抗して右方向へ位置変位すると共に、該係合突起２６が該支持突起３３を越えた瞬間に、該復帰バネ３６のバネ力によって左方向へと戻され、該係合突起２６は該支持突起３３に一時的に支持されることにより、ロック部材１３のロック状態の解消を維持する。
【００２７】
そして、実施形態では、錠片用ストッパー片１１に連動して、その復帰バネ３６のバネ力に抗して回転するロック解除レバー４１が介在するので、維持片３１の支持突起３３に乗っかった係合突起２６は、一時的にロック部材１３のロック状態の解消を維持しているものの、錠片用ストッパー片１１の先端部の上辺に押し上げられて矢印で示す時計方向へと回転すると、維持片３１は矢印で示す右方向へ復帰バネ３６のバネ力に抗して一旦スライドするので、前記係合突起２６は支持突起３３から外され、その結果、制御レバー２３は下方へと下降する（図１４を参照）。したがって、係合突起２６は、維持片３１の矩形状開口３２の下方領域に戻る。そして、閉扉時、錠片２は付勢手段２０の付勢力により、施錠位置へと自動的に戻る（図１を参照）。
【００２８】
（２）本願発明の主要部
さて、図２乃至図１２を参照にして、本願発明の主要部を説明する。なお、本願発明の主要部の説明に当って、駆動源５１、該駆動源に連結される駆動片５５及び従動片６１の具体的構成は、特許文献１、特許文献２等に記載によって周知事項なので、該周知事項の詳細は極力割愛し、その相違点を指摘する。
【００２９】
また、図２、図１０、図１１等では、一つの駆動片５５に対して手前側に一つの従動片６１を、一方、該駆動片の向こう側に他の従動片を省略して、一つの切替え手段６５（主切替えレバーと補助切替えレバー）を描いているが、これは本願発明の技術的思想を理解するために、便宜上、他の従動片及び切替え手段を省略している。実施化レベルでは、一つの駆動片５５の両サイドに内外の従動片６１が存在し、また、内外の従動片６１に併設された状態で内外の切替え手段が存在する。したがって、従動片６１が係脱するロック部材１３も内外に独立して存在する。
【００３０】
まず図２は、通電時施錠モード（Ｒモード）の概略説明図である（作動杆５２は収縮）。これに対して、図１０は、前記Ｒモードに於いて、電源をＯＦＦにし、解錠状態になった概略説明図である（作動杆５２は伸長）。一方、図１１は通電時解錠モード（Ｔモード）の概略説明図である。これに対して、図１２は、前記Ｔモードに於いて、電源をＯＦＦにし、施錠状態になった概略説明図である。
【００３１】
図２のＲモード及び図１１のＴモードの各態様は、特許文献１や特許文献２と同様に、「非通電状態」の場合に於いて、それぞれ電気信号を印加した時に、駆動源５１の作動杆５２が、復帰用圧縮バネ５３のバネ力に抗して矢印方向へと伸長する。
したがって、図１０のＲモード及び図１２のＴモードの場合に於いて、それぞれ電源が「ＯＦＦ」になれば、駆動源５１の作動杆５２は、復帰用圧縮バネ５３のバネ力によって矢印方向に伸縮する。実施形態では、駆動源５１は長箱状の錠箱１の内部空間の略中央部に固定的に横設され、該駆動源５１の作動杆５２は、錠箱１の後壁１ｃに対して水平状態に指向している（特許文献１と異なる点）。
【００３２】
なお、特許文献１では、さらに、アンチパニックモード（Ａモード）についても言及をしているが、もちろん、本願発明の主要部に該Ａモードの切替え手段等を加味しても良い。ここでは、Ａモードは本願発明の必須要件ではないので、その説明は割愛する。
【００３３】
次に図３は、駆動源５１と駆動片５５の説明図である。駆動源５１は電磁プランジャを採用している。もちろん、電磁プランジャに代えて駆動モータ、伝導歯車等を用いることもできる。特許文献１に記載されているように、電磁プランジャのソレノイドに電気信号を印加することで、その作動杆５２は水平方向に所定量移動する。駆動片（特許文献１の図１１の駆動コネクタ１４７と同様）５５は、全体の縦断面形状がピストル形状であり、握り部に相当の横方向に突出する連結部５５ａは、作動杆５２の突出先端部５２ａに連結されている。したがって、駆動片５５は該駆動源５１の作動杆５２と共働する。
【００３４】
この駆動片５５が特許文献１の動コネクタ１４７と主に異なる所は、垂直長孔５６を有する縦長駆動板部分５５ｂの上端部に、該垂直長孔５６の垂直線上に縦溝５７が形成されている点である（図４参照）。また、前記駆動片５５が水平方向に所定量伸縮動するのを許容する比較的大径の逃がし穴５８が前記垂直長孔５６に連通形成され、かつ該逃がし穴５８を横方向の固定軸６０が遊びを有して貫通している点である。
【００３５】
次に図５は、駆動片５５と従動片６１の説明図である。従動片６１は、駆動片５５の少なくとも一側面（垂直側面）に併設された状態で駆動片５５の逃がし穴５８を貫通する固定軸６０に回転自在に軸支されている。この従動片６１は、特許文献１と同様に軸孔６２を有する中心部位６１ａと、該中心部位に耳状に形成されていると共に、くの字形状の従動長孔６３を有する連設部位６１ｂと、該連設部位よりも下方に延在する指状下端部（連結爪１６１に相当）６１ｃとから成る点で、この点は特許文献１の図１１の切替えカム１５９と略同様であり、また駆動源５１の駆動力で駆動片５５と共に水平方向に位置変位する。
【００３６】
しかしながら、この従動片６１が特許文献１の切替えカム１５９と異なる点は、該従動片６１の指状下端部（下端係合部）６１ｃは下方を指向し、前述したハンドルロック部材１３の上方向の腕状係合部１３ａと係合或は連係する点である。
【００３７】
次に図６は、駆動片５５と切替え手段６５を構成する補助切替えレバー７０の説明図である。また図７は、切替え手段６５を構成する主切替えレバー６６と前記補助切替えレバー７０の説明図である。切替え手段６５が一つの実施形態の場合には、例えば図２で示したように、一つのハンドルロック部材１３に対する一つの従動片６１を駆動片５５の一側面（例えば手前の垂直側面）に併設し、一方、一つの従動片６１の他側面（向こう前の垂直側面）に補助切替えレバー７０を直接的に併設することができるが、普通一般に実施化レベルでは、扉の内外の壁面に内外の操作部材がそれぞれ設けられているので、前記補助切替えレバー７０は内外用に一対存在し、これら内外の補助切替えレバー７０はそれぞれ内外の従動片６１を介して駆動片５５の両側面に併設される。したがって、実施化レベルでは、一つの駆動片５５の大きさや形態は、内外の従動片の形状・構造を考慮して適宜に設計される。
【００３８】
しかして、本実施形態では、切替え手段６５は、その先端部６６ａが錠箱１のフロント裏板１ｂに形成した不番の切替え用開口に直接、又は裏板１ｂの切替え用開口に矩形状の支持枠８０が固定的に装着されている（実施形態）場合には、該支持枠８０の開口８１内に位置（裏板１ｂの開口に間接的に位置）し、かつ中央部或は中央部寄りの部位６６ｂが横軸６７に軸支された長片状の主切替えレバー６６と、該主切替えレバーの後端部６６ｃと連係部（例えば係合突起、係合穴、二つの連係爪など）を介して連係する補助切替えレバー７０とから成り、前記補助切替えレバー７０は、その下端部７０ａに従動片６１の従動長孔６３及び駆動片５５の垂直長孔５６の両方に係合する係合突起７１、中間部に前記駆動片５５の垂直長孔５６の垂直線上に形成された縦溝５７に係合する案内突起７２及び上端部に連係長孔７３をそれぞれ有する。そして、望ましくは、補助切替えレバー７０は、略直角状体のアングル形状に形成される。
【００３９】
また、図９で示すように、支持枠８０には、上端部が軸支され、かつ切替えられた主切替えレバー６６の先端部６６ａを選択的に支持する格子状可動枠体８２が設けられている。この格子状可動枠体８２及び前記長片状の主切替えレバー６６は公知事項である（特開２００３−２３９５８６）が、該公知事項の切替えレバーと主に異なる事項は、本願発明の切替え手段６５は新規な補助切替えレバー７０が存在する点である。なお、主切替えレバー６６に設けたリクック片６６ｄや錠箱１内に設けられたクリック感用の突起部分８５は公知事項なので、詳細な説明は割愛する。
【００４０】
上記構成に於いて、まず、例えば扉の木口に錠前の装着する前にフロント１ａを外し、次に、格子状可動枠体８２を上方に上げるようにして開き、主切替えレバーを上下方向に手動で切替えると、前述した逃がし穴５８内に位置する固定軸６０を基準として、補助切替えレバー７０の係合突起７１がくの字形状の従動長孔６３の範囲内で上下方向に位置変位し、錠前の施・解錠モードが切替る（なお、この実施形態の場合には、扉の木口に錠前の装着した後にも可能である）。
【００４１】
そして、図２、図１０、図１１及び図１２で示すように、切替え手段６５で切替えられた従動片６１の指先状端部６１ｃは、ロック部材１３の可動ピン１４と係合する。
【実施例】
【００４２】
本願発明の実施化レベルでは、一つの駆動片５５の両サイドに内外の従動片６１、６１が存在し、また、これら内外の従動片６１、６１にそれぞれ係合するように内外の切替え手段の補助切替えレバー７０、７０の一部が前記一つの駆動片５５内に併設状態に入り込んでいる。
【００４３】
したがって、内外の従動片６１、６１がそれぞれ係合するロック部材１３、１３も内外に独立して存在し、これら内外のロック部材１３、１３がそれぞれ係脱するハンドルカム部材３、３も内外に独立して存在する。
【００４４】
また、実施形態では、錠箱１の裏板１ｂの不番開口に矩形状の支持枠８０が固定的に装着されているが、必ずしも、該支持枠８０を裏板１ｂに取り付ける必要はない。また、支持枠８０を裏板１ｂの不番開口に装着する場合には、その係着構造は適宜に採用し得る事項である。また、制御レバー２３の形態も適宜に設計変更し得る事項である。また本実施形態では、操作部材の一例としてのプッシュブルハンドルを挙げたが、もちろん、操作部材は図示しないレバーハンドルやノブであっても良い。さらに、ハンドルロック部材をロック方向に付勢するバネ１５は、適宜に設けることができる。
【００４５】
なお、錠前Ｘの細部的事項、例えばプッシュプルハンドル、レバーハンドル等の操作部材、該操作部材用復帰バネ、錠片用案内手段、ロック状態解消維持片用案内手段、固着具等は省略してある。
【００４６】
また、図１５及び図１６は、錠箱１に形成した切替え用開口１７の他の実施形態を示す各説明図で、この第２実施形態では、前記切替え用開口１７、１７が錠箱１の左右の幅広側壁１ｆ、１ｆのフロント裏板１ｂ寄りの部位にそれぞれ形成されている。
【００４７】
そして、切替え手段６５が、アンチパニックモード（Ａモード）用の切替え手段（図１６では中間に位置する主切替えレバー６６）を備えている場合には、アンチパニックモード用の主切替えレバー６６は、他の主切替えレバー６６の先端部６６ａよりもやや突出している）。
【００４８】
したがって、本実施形態では、錠前の販売時、或は錠前を扉に装着する施工時に、錠箱に形成した開口（少なくともフロント裏板１ｂに形成した開口、又は幅広側壁１ｆに形成した少なくとも一つの開口１７のいずれか）を利用して錠前のモードを簡単、かつ確実に切替えることができる。
【産業上の利用可能性】
【００４９】
本願発明は、錠前や建具の分野で利用される。
【符号の説明】
【００５０】
Ｘ…錠前、Ｙ…錠前の施・解錠モード切替え装置、１…錠箱、１ｂ…裏板、２…錠片、３…ハンドルカム部材、５…内側の突片、６…外側の突片、７…ローラ、１１…錠片用ストッパー片、１３…ハンドルロック部材、１３ａ…第１係合部、１３ｂ…第２係合部、１７…切替え用開口、２０…付勢手段、２１…ダルマ、２２…回転レバー、２３…制御レバー、２４…係合制御部、２６…係合突起、３１…ロック状態解消維持片、３２…開口部、３３…支持突起、３６…復帰バネ、４１…ロック解除レバー、５１…駆動源、５２…作動杆、５３…復帰用圧縮バネ、５５…駆動片、５６…垂直長孔、５７…縦溝、５８…逃がし穴、６０…固定軸、６１…従動片、６１ｃ…指状下端部、６３…従動長孔、６５…切替え手段、６６…主切替えレバー、７０…補助切替えレバー、７１…係合突起、７２…案内突起、７３…連係部（連係長孔）、８０…支持枠、８１…支持枠の開口、８２…格子状可動枠体。
【図１】
0005926013.tif 000002
【図２】
0005926013.tif 000003
【図３】
0005926013.tif 000004
【図４】
0005926013.tif 000005
【図５】
0005926013.tif 000006
【図６】
0005926013.tif 000007
【図７】
0005926013.tif 000008
【図８】
0005926013.tif 000009
【図９】
0005926013.tif 000010
【図１０】
0005926013.tif 000011
【図１１】
0005926013.tif 000012
【図１２】
0005926013.tif 000013
【図１３】
0005926013.tif 000014
【図１４】
0005926013.tif 000015
【図１５】
0005926013.tif 000016
【図１６】
0005926013.tif 000017